(57)【要約】【課題】二個の隣接するカップ本体を相対して積重し、同時に構造が簡単で、且つ製作しやすく、コスト下げる効果を有するカップ型容器構造を提供する。【解決手段】カップ型容器構造は、カップ本体５０から構成され、且つカップ本体５０は筒形状であり、並びに第一端５０１および第二端５０２を有する。またカップ本体５０の第一端５０１、第二端５０２の間の内部には中空の収蔵室５１が形成され、且つ収蔵室５１は開口が上向きのカップ口５２を有し、カップ口５２の周辺縁にはカップ縁５５を成形する。そのうち、カップ本体５０のカップ縁５５には外向きに突出した突縁５８を成形し、またカップ本体５０のカップ縁５５と突縁５８最上面には平面５９を成形する。【選択図】図６
0003230537.tif 000002
【実用新案登録請求の範囲】
【請求項１】
カップ本体から構成されるカップ型容器構造であって、
前記カップ本体は筒形状であり、且つ第一端および第二端を有し、
前記カップ本体は前記第一端、第二端間の内部に中空の収蔵室を形成し、且つ前記収蔵室は前記カップ本体に相対する第一端には開口が上向きのカップ口を有し、前記カップ口の周辺縁にはカップ縁を成形し、
前記カップ本体の前記第一端のカップ縁には外向きに突出した突縁を成形し、
前記カップ本体の前記カップ縁と突縁の最上面には平面を成形し、
相互に隣り合うカップ本体を前記第一端の平面で相互に積重させるもので、構造が簡単で、且つ安定して積重することを特徴とするカップ型容器構造。
【請求項２】
前記カップ本体外縁は、直径が前記第一端から第二端に向かって漸増する形状で、前記第二端から下向きに湾曲して収まることを特徴とする請求項１記載のカップ型容器構造。
【請求項３】
前記カップ本体の第二端の中間には内凹部が形成され、且つ前記第二端の前記内凹部周辺縁には接合環状面が成形され、平面で前記カップ本体を立たせることを特徴とする請求項１記載のカップ型容器構造。
【請求項４】
前記接合環状面の幅は０．１ｍｍ〜０．５ｍｍであることを特徴とする請求項３記載のカップ型容器構造。
【請求項５】
前記カップ本体カップ縁の突縁の前記カップ本体外壁面から突出する距離は０．０５〜０．３ｍｍであり、前記平面の幅は０．１ｍｍ〜０．５ｍｍであることを特徴とする請求項３記載のカップ型容器構造。
【請求項６】
前記カップ本体はポリエチレンテレフタレート〔Ｐｏｌｙｅｔｈｙｌｅｎｅ  ｔｅｒｅｐｈｔｈａｌａｔｅ、ＰＥＴ〕であることを特徴とする請求項１から５のうち任意の一項記載のカップ型容器構造。
【考案の詳細な説明】
【技術分野】
【０００１】
本考案は、カップの技術に関するもので、特に正または逆に積重するカップ型容器構造に係る。
【背景技術】
【０００２】
通常カップは、カップ本体から構成され、且つカップ本体内部は液体を入れる収蔵室を有し、またカップ本体の収蔵室は開口が上向きのカップ口を形成する。またカップ口は人が口を付けて飲むためのカップ縁を成形し、且つ既存のカップは收納または包裝時の空間を節約するため、以前はカップ本体外縁を斜め円錐形状に成形し、また収蔵室も相互に対応する斜め円錐形状に成形し、二個の対応するカップを積重させた。しかし、二個のカップのカップ本体が嵌合形状の時、嵌合時、カップ本体には圧迫力が発生し、またカップ材料の弾性回復作用および気密効果によって、内層のカップが抜き出しにくくなり、更にはカップの收納および整理効果に影響を与える。
【０００３】
上述の問題を改善するため、図１および図２に示すとおり、カップ本体１０内部は中空の収蔵室１１を有する。収蔵室１１は開口が上向きのカップ口１２を有し、且つカップ口１２周辺縁にはカップ縁１５を成形する。またカップ本体１０を收納する時に便利に積重できるように、カップ本体１０のカップ縁１５を半円球形状に形成し、カップ縁１５内外には突出した円弧形凸係合縁１６〔例として図３参照〕を有する。並びにカップ本体１０外縁の底部に近い箇所には対応する直径の円弧形凹係合溝１８〔例として図４参照〕を形成することで、相互に隣り合うカップ本体１０が図５に示すように、下層のカップ本体１０のカップ縁１５内側の円弧形凸係合縁１６が上層のカップ本体１０外周面の円弧形凹係合溝１８内に嵌合し、相互に隣り合うカップ本体１０が安定して積重される。
【０００４】
しかし、カップ本体１０上のその円弧形凸係合縁１６および円弧形凹係合溝１８のデザインは、カップ本体１０の金型製造および射出成型の難度が増し、そのためカップ本体１０の製作コストが上がる。更には円弧形凸係合縁１６と円弧形凹係合溝１８も製造精度または收縮変形が両者の相互嵌合の有効性に影響を与えやすく、仮に有効に嵌合されなかった場合、又は、嵌合が完全でない場合、反対に積重できない問題が発生する。
【０００５】
言い換えると、既存のカップは積重するための構造設計が完全ではなく、また製作コストは高く、且つその精度が積重効果等の問題に影響する。拠って、前述の問題を如何に改善するかは、業界とユーザーが早急に検討したい問題である。
【０００６】
本考案者は既存のカップを積重させる際の問題を研究し、本考案者の関連商品開発に関する経験から積極的に解決の道を模索し、不断の努力の研究と発展によって、遂にカップ型容器構造を考案し、積重する際の困難と不便を克服した。
【考案の概要】
【考案が解決しようとする課題】
【０００７】
簡単な構造で安定してカップを積重し、收納および包裝の便利性を向上させるカップ型容器構造を提供することを本考案の主な課題とする。
【０００８】
また、製作難度を簡素化し、公知のような積重構造の設計でコストが高くなってしまい、それが積重構造に影響するのを改善し、積重効果を高めて、実用性を大幅に向上させるカップ型容器構造を提供することを本考案の別の主な課題とする。
【課題を解決するための手段】
【０００９】
本考案は主に、以下の技術手段を通じて、上述の目的と効果を具体的に実現する。それはカップ本体から構成され、且つカップ本体は筒形状であり、並びに第一端および第二端を有する。またカップ本体は第一端、第二端間の内部に中空の収蔵室を形成し、且つ収蔵室は開口が上向きのカップ口を有し、カップ口の周辺縁にはカップ縁を成形する。
【００１０】
カップ本体の第一端のカップ縁には外向きに突出した突縁を成形し、またカップ本体のカップ縁と突縁最上面には平面を成形する。
【００１１】
前述の技術手段の具体的実現によって、本考案のカップ型容器構造をカップ本体のカップ縁で外向きに拡大した突縁を成形し、カップ本体のカップ口の周辺縁に平面形状の平面を成形し、二個の隣接するカップ本体を相対して積重することで、良好な安定積重効果を有する。同時に構造が簡単で、且つ製作しやすく、コスト下げる効果を有し、実用性を大幅に向上させ、更に付加価値と経済公益を高める。
【００１２】
本考案は以下の技術手段に拠って、更に前述の目的および効果を実現する。
【００１３】
カップ本体の外縁直径は第一端から第二端に向けて漸増形状で、並びに第二端から下向きに湾曲して収まる。
【００１４】
カップ本体の第二端の中間には内凹部が形成され、且つ第二端の内凹部の周辺縁には接合環状面が成形され、平面でカップ本体を立たせる。
【００１５】
接合環状面の幅は０．１ｍｍ〜０．５ｍｍである。
【００１６】
カップ本体カップ縁の突縁のカップ本体外壁面から突出する距離は０．０５〜０．３ｍｍであり、平面の幅は０．１ｍｍ〜０．５ｍｍである。
【００１７】
カップ本体はポリエチレンテレフタレート〔Ｐｏｌｙｅｔｈｙｌｅｎｅ  ｔｅｒｅｐｈｔｈａｌａｔｅ、ＰＥＴ〕である。
【００１８】
本考案の構造、特徴およびその目的を理解するため、良好な実施例を挙げ、図式と共に詳細に説明する。
【図面の簡単な説明】
【００１９】
【図１】公知のカップの立体外観指示図である。
【図２】公知のカップの側視外観指示図である。
【図３】公知のカップのカップ縁部分の局部拡大断面指示図である。
【図４】公知のカップの円弧形凹係合溝の局部拡大断面指示図である。
【図５】公知のカップを積重した時の側視断面指示図である。
【図６】本考案の立体外観指示図で、その詳細構成および相対関係を説明したものである。
【図７】本考案の局部側視断面拡大指示図であり、そのカップ縁部分の構成を説明したものである。
【図８】本考案の積重時の側視断面指示図である。
【図９】図８のＡ部分の局部側視断面拡大指示図であり、カップ本体のカップ縁を相対して積重した状態を説明したものである。
【考案を実施するための形態】
【００２０】
（一実施形態）
本考案はカップ型容器構造であり、図式に拠って本考案の具体実施例およびその部材の中の前と後、左と右、最上部と底部、上部と下部、および水平と垂直を参考に示すが、それらは説明のためだけに用いられるもので、本考案を制限するものではなく、またその部材の如何なる位置または空間方向を制限するものではない。図式と明細書で指定したサイズは本考案の請求範囲内から離れるものではなく、本考案の具体実施例の設計と必要に応じて変更できるため、特許出願において、この構造の制限を受けない。
【００２１】
本考案のカップ型容器構造の詳細な構成は、図６、図７に示すとおり、カップ本体５０から構成される。カップ本体５０は本実施例において、ポリエチレンテレフタレート〔Ｐｏｌｙｅｔｈｙｌｅｎｅ  ｔｅｒｅｐｈｔｈａｌａｔｅ  ，ＰＥＴ〕とし、且つカップ本体５０は筒形状で、第一端５０１および第二端５０２を有する。また、カップ本体５０の第一端、第二端５０１、５０２間の内部には中空の収蔵室５１を形成し、且つカップ本体５０を立てた時、収蔵室５１のカップ本体５０に相対する第一端５０１は開口が上向きのカップ口５２を有し、カップ口５２の周辺縁にはカップ縁５５を成形する。更にカップ本体５０の外縁直径は第一端５０１から第二端５０２に向けて漸増形状を形成し、第二端５０２で下向きに弧を描いて収まる。また、カップ本体５０第二端５０２中間では内凹部５６を成形し、且つ第二端５０２は、内凹部５６周辺縁で接合環状面５７を形成することで、カップ本体５０を平面上で立たせる。接合環状面５７の幅は０．１ｍｍ〜０．５ｍｍであり、隣接するカップ本体５０を第二端５０２の接合環状面５７で相対して積重させる。
【００２２】
カップ本体５０は第一端５０１のカップ縁５５に於いて外向きに突出した突縁５８を成形し、突縁５８がカップ本体５０外壁面から突出する距離は本実施例において、０．０５〜０．３ｍｍである。またカップ本体５０はカップ縁５５と突縁５８の最上面に平面５９を成形し、平面５９の幅は本実施例では０．１ｍｍ〜０．５ｍｍとし、相互に隣り合うカップ本体５０を第一端５０１の平面５９で相対して積重させることで〔例として図８、図９参照〕、相互に隣り合うカップ本体５０が安定して積重できる。
【００２３】
構造が簡単で、且つ安定して積重するカップ型容器構造を構成する。
【００２４】
本考案で実際に応用する時、図６、図７および図８に示すとおり、カップ本体５０は第二端５０２の接合環状面５７を卓上のような任意の平面に置くことで、カップ本体５０が安定して積重でき、勝手に倒れない。更に積重して收納する場合、相互に隣り合うカップを各カップ本体５０の第一端５０１カップ口５２で相対させ、両者のカップ口５２のカップ縁５５と突縁５８の平面５９を相対して接合することで〔例として図８、図９参照〕、二個のカップ本体５０を相対して積重され、且つ滑って倒れたり、斜めに傾いたりしない。
【００２５】
前述の構造設計および動作の説明から分かるとおり、本考案はカップ本体５０のカップ縁５５に外向きに拡大する突縁５８を成形し、カップ本体５０のカップ口５２周辺縁には平面形状の平面５９を成形する。それらによって、二個の隣接するカップ本体５０が相対して積重する。本考案のカップ本体５０は收納時、良好で安定した積重効果を有し、且つ既存と比較して製作しやすいため、有効にコストを下げ、実用性を大幅に向上させる。
【００２６】
上述のとおり、本考案は創意に優れた実用新案であり、公知が抱える問題を有効に解決し、更に大幅に効果を向上させる。更に同じ技術領域の中で、同じまたは近似する製品は未見であり、同時に有効な効果が向上することから、本考案は実用新案申請のための「新規性」と「進歩性」の要件に合致する。
【符号の説明】
【００２７】
１０        カップ本体
１１        収蔵室
１２        カップ口
１５      カップ縁
１６        円弧形凸係合縁
１８        円弧形凹係合溝
５０        カップ本体
５０１        第一端
５０２        第二端
５１        収蔵室
５２        カップ口
５５        カップ縁
５６        内凹部
５７      接合環状面
５８        突縁
５９        平面
【図１】
0003230537.tif 000003
【図２】
0003230537.tif 000004
【図３】
0003230537.tif 000005
【図４】
0003230537.tif 000006
【図５】
0003230537.tif 000007
【図６】
0003230537.tif 000008
【図７】
0003230537.tif 000009
【図８】
0003230537.tif 000010
【図９】
0003230537.tif 000011